(57)【要約】【課題】座り心地が良い家庭用（児童・生徒用）のシンクロ式ロッキング椅子を提供する。【手段】ベース２と中間金具１７と傾動フレーム２３とが軸２５，２６，２７で相対回動可能に連結されている。中間金具１７で座３が支持され、傾動フレーム２３に背もたれ４が取付けられている。座３は、座インナーシェル１２と座アウターシェル１５とを備えており、座インナーシェル１２の変形許容部１２′が座アウターシェル１５の凹状支持部１５′で支持されている。座インナーシェル１２、座アウターシェル１５、中間金具１７の上面３１ａ、の三者は平行でかつ水平Ｈに対して２〜４°程度後傾している。変形許容部１２′と凹状支持部１５′とが平行であるため変形許容部１２′を大きく沈み込み変形させて高いクッション性とフィット性とを確保できる。【選択図】図１１
2008302084.tif 000002
【特許請求の範囲】
【請求項１】
脚支柱の上端に固定されたベースと、前記ベースの上方に配置した座と、前記座の後方に配置した背もたれとを備えており、前記ベースには、前記座を取付けた中間金具が後退動及び後傾動し得るように連結されていると共に、前記背もたれを設けた傾動フレームがばね手段に抗して後傾動し得るように連結されており、前記中間金具と傾動フレームとを相対回動可能に連結することにより、背もたれの後退動に連動して座が後退動及び後傾動するようになっており、
前記座は、等厚のクッション材が上面に重なっている樹脂製の座インナーシェルと、前記座インナーシェルを下方から支持する座アウターシェルとを備えており、前記座インナーシェルの略後半部は着座した人の体圧で下向きに沈み込み変形し得る変形許容部になっており、この変形許容部の左右中間部は縦断側面視で直線状の形態を成している一方、
前記座アウターシェルのうち少なくとも座インナーシェルの変形許容部に対応した部分は、縦断正面視において上向き凹状でかつ座インナーシェルの変形許容部との間に空間が開いた凹状支持部になっており、前記凹状支持部の左右両端部に座インナーシェルの変形許容部を取り付けることによって当該変形許容部の下向き沈み込み変形が許容されており、かつ、前記座アウターシェルの凹状支持部の左右中間部は縦断側面視において中間金具の上面と平行に延びる直線状の形態になっている、
という椅子であって、
前記座インナーシェルにおける変形許容部の左右中間部は非ロッキング状態において縦断側面視で水平に対して２〜４度後傾しており、このため座面も非ロッキング状態で全体的に水平に対して２〜４度後傾している一方、座インナーシェルの変形許容部と座アウターシェルの凹状支持部とは縦断側面視で平行か又は後方に行くに従って間隔が広がる相対姿勢になっており、このため前記中間金具の上面は非ロッキング状態で水平に対して約２〜４度又はそれ以上の角度で後傾している、
ロッキング椅子。
【発明の詳細な説明】
【技術分野】
【０００１】
本願発明は、座が背もたれに連動して後退及び後傾するシンクロタイプのロッキング椅子に関するものである。
【背景技術】
【０００２】
ロッキング椅子の一つのタイプとして、背もたれが後傾する（ロッキングする）と座も一緒に後退しつつ後傾するシンクロタイプがある。このシンクロタイプの椅子は、ロッキングに際して座が後退することによっていわゆるシャツ捲れや背ずれを防止または抑制でき、また、ロッキングに際して座が後傾することで安楽性を向上できる。このため、オフィス用の椅子では広く普及している。
【０００３】
座を背もたれに連動させる（シンクロさせる）手段には様々の機構が提案されかつ実施されているが、その一例が、本願出願人の先願に係る特許文献１に開示されている。
【０００４】
すなわち特許文献１では、脚支柱の上端に固定されたベースと、前記ベースの上方に配置した座と、前記座の後方に配置した背もたれとを備えている椅子において、前記ベースの前部には、座を取付けた中間金具が後退動及び後傾動し得るようにスライド軸（第１軸）で連結されており、ベースのうちスライド軸よりも後方の部位には、背もたれを設けた傾動フレームがばね手段に抗して後傾動し得るように連結されており、中間金具と傾動フレームとを相対回動可能に連結することにより、背もたれの後退動に連動して座が後退動及び後傾動するようになっている。
【０００５】
また、特許文献１では、座は、クッション材が上面に重なっている樹脂製の弾性変形可能な座インナーシェルと、前記座インナーシェルを下方から支持する座アウターシェルとを備えており、前記座アウターシェルの後半部は縦断正面視で上向き凹状に凹んでいて座アウターシェルの後半部と座インナーシェルの後半部とには空間が空いており、前記空間の存在により、座インナーシェルは人が着座すると主として後半部が伸び変形して下方に沈み込むようになっている。また、特許文献１では座アウターシェルは中間金具に前後位置調節可能に取付けられている。
【０００６】
他方、特許文献２には、特許文献１と同様のシンクロ機構の椅子において、中間金具の左右両側部に座インナーシェルの左右両側部をスライド自在に嵌め込むことが開示されている（従って、特許文献２では座アウターシェルを備えていない）。
【０００７】
そして、特許文献１のように座に座アウターシェルを設けると、ａ）座アウターシェルが強度メンバーとして機能するため、中間金具の左右幅寸法を狭くすることができ、このため座部をコンパクト化できる、ｂ）着座に伴う座インナーシェルの沈み込み量を座アウターシェルで規制できるため、座インナーシェルに過大な荷重が掛かることによる座インナーシェルの破断を防止できる、ｃ）座インナーシェルは撓み変形を重視した材質や構造として座アウターシェルはスライドの容易性や座インナーシェルの安定的な支持といった点を重視した材質や構造とすることができるため、設計上での制約が少ない、といった利点がある。
【特許文献１】特開２００５−１３１２１０号公報
【特許文献２】特開２００３−１３５１９６号公報
【発明の開示】
【発明が解決しようとする課題】
【０００８】
ところで、椅子の座面は非ロッキング状態で水平に対して２〜４度程度後傾させていることが多い。これは、人が背筋を伸ばして腰掛けた状態で大腿部から臀部にかけてのラインが若干後傾気味であることに起因しており、座面をこのように傾斜させることにより、人は大腿部や臀部への負担が少ない自然な状態で椅子を使用できる。このため、特許文献１の図面（図３）では便宜的に縦断側面視で座面を水平に描いているが、実施品は座面が２度程度後傾している。
【０００９】
他方、オフィスにおいて男性が椅子を使用する場合、大きなロッキング角度を好む傾向があり、このため、特許文献１，２のようにオフィス用を主用途として開発されたロッキング椅子は、例えば１７〜２０度程度の大きなロッキング角度を確保している（それ以上に大きな角度でロッキングするものもある。）。
【００１０】
さて、特許文献１の場合、ロッキングによって中間金具が後傾するが、傾動フレーム（のブリッジ部材）がベースのストッパー部に上方から当たることで背もたれの後傾角度が規制される。傾動フレームは側面視で鉛直線に対して後傾姿勢になっているが、傾動フレームの後傾ストロークを大きくするには、非ロッキング状態で傾動フレームをできるだけ鉛直に近い方向に起こした姿勢にしておけば良いと言える。しかし、傾動フレームは中間金具に連結されているため、非ロッキング状態での傾動フレームの姿勢は中間金具の姿勢に規制される。換言すると、傾動フレームの最大回動角度は中間金具の最大回動角度に規制される。
【００１１】
そして、特許文献１の実施品は、非ロッキング状態で座インナーシェルを水平に対して後傾させるという条件を保持しつつ中間金具の後傾角度をできるだけ大きくするために、中間金具はその上面を殆ど水平の姿勢にしているが、座アウターシェルの底部は中間金具の上面とは平行になっているため、縦断側面視で座インナーシェルとの座アウターシェルとの間隔は後部に行くほど小さくなっている。勿論、この構成に不都合がある訳ではない。
【００１２】
既述のとおり、成人男性は後ろにのけ反るような状態にロッキングすることを好むのであるが、児童・生徒及び成人女性は大きな角度でのロッキングを好むとは言えず（特に、女子の児童・生徒の場合は大きな角度のロッキングは敬遠する傾向が強いと言える）、また、家庭では机や椅子の設置スペースが狭いことが多いため、ロッキング角度が大きいと、使用者の頭が後ろの家具につかえたり家族の歩行の邪魔になったりというような不具合もあり得る。更に、子供が着座状態で身体を大きく反らすのは行儀が良くないという認識も予想される。他方、座のクッション性やフィット性は家庭で児童・生徒や成人女性等が使用する椅子においても確保すべき重要な要素である。
【００１３】
本願発明はこのような現状に鑑み成されたものであり、特許文献１のような中間金具を備えているシンクロタイプのロッキング椅子を家庭で使用するのに好適な形態にアレンジすることを目的とするものである。
【課題を解決するための手段】
【００１４】
本願発明の椅子は、基本的には特許文献１と同様であり、脚支柱の上端に固定されたベースと、前記ベースの上方に配置した座と、前記座の後方に配置した背もたれとを備えており、前記ベースには、前記座を取付けた中間金具が後退動及び後傾動し得るように連結さていると共に、前記背もたれが取り付く傾動フレームがばね手段に抗して後傾動し得るように連結されており、前記中間金具と傾動フレームとを相対回動可能に連結することにより、背もたれの後退動に連動して座が後退動及び後傾動するようになっている。
【００１５】
そして、前記座は、等厚のクッション材が上面に重なっている樹脂製の座インナーシェルと、前記座インナーシェルを下方から支持する座アウターシェルとを備えており、前記座インナーシェル１２の略後半部は着座した人の体圧で下向きに沈み込み変形し得る変形許容部になっており、この変形許容部の左右中間部は縦断側面視で直線状の形態を成している。
【００１６】
一方、前記座アウターシェルのうち少なくとも座インナーシェルの変形許容部に対応した部分は、縦断正面視において上向き凹状でかつ座インナーシェルの変形許容部との間に空間が開いた凹状支持部になっており、前記凹状支持部の左右両端部に座インナーシェルの変形許容部を取り付けることによって当該変形許容部の下向き沈み込み変形が許容されており、かつ、前記座アウターシェルの凹状支持部の左右中間部は縦断側面視において中間金具の上面と平行に延びる直線状の形態になっている。
【００１７】
そして、特徴として、前記座インナーシェルにおける変形許容部の左右中間部は非ロッキング状態において縦断側面視で水平に対して２〜４度後傾しており、このため座面も非ロッキング状態で全体的に水平に対して２〜４度後傾している一方、座インナーシェルの変形許容部と座アウターシェルの凹状支持部とは縦断側面視で平行か又は後方に行くに従って間隔が広がる相対姿勢になっており、このため前記中間金具の上面は非ロッキング状態で水平に対して約２〜４度又はそれ以上の角度で後傾している。
【発明の効果】
【００１８】
既述のように、家庭で使用する椅子（特に児童・生徒や女性が使用する椅子）には大きなロッキング角度が欲しいとの要請は希薄で、せいぜい１５度程度の後傾角度があれば良いと言える。このため、本願発明のように非ロッキング状態で中間金具の上面を水平に対して後傾させていても、必要なロッキング角度を確保できる。
【００１９】
すなわち、本願発明においても中間金具の後傾角度によって傾動フレームの後傾角度（ロッキング角度）が規制されることは特許文献１と同じであるが、中間金具の後傾角度は特許文献１の場合よりも小さくて良いため、中間金具の上面と座アウターシェルの凹状支持部とを非ロッキング状態で水平に対して後傾させていても、必要なロッキング機能は確保されるのである。
【００２０】
そして、座インナーシェルの変形許容部は使用者の体圧によって沈み込むが、座インナーシェルの変形許容部と座アウターシェルの凹状支持部とは、縦断側面視で平行か又は後方に向けて上下間隔が広がる相対姿勢になっているため、座インナーシェルの変形許容部の沈み込み量を大きく確保することができる。
【００２１】
つまり、本願発明は、家庭用椅子のようにロッキング角度が大きくなくても良いという要望があることを利用して、中間金具と座アウターシェルとを備えた椅子において、座面は非ロッキング状態で後傾させたままで座インナーシェルの沈み込み量を従来以上に大きく確保できるようにしたものであり、これにより、座のクッション性・フィット性に優れた家庭用椅子を提供できる。オフィスにおいても、女性が椅子を使用するにおいては腹筋が弱いことを主因として大きなロッキングは敬遠される傾向が強いため、本願発明は女性がオフィスで使用する椅子としても好適である。
【００２２】
なお、単純には、特許文献１の構成でも座アウターシェルの凹み量を大きくしたら座インナーシェルの沈み込み量を大きくできると言えるが、かくすると、座が全体的に厚くなり過ぎて美観が劣ったり、座の最低高さ（脚支柱を下限まで下げた状態での座の高さ）が高くなるという問題がある（座の最低高さが高いと身長の低い人は対応できない場合があるため、最低高さはできるだけ低いのが良い。）。これに対して本願発明は、座部を全体としてコンパクト化しかつ座の最低高さをできるだけ低くしつつ、また、必要なロッキング機能を確保しつつ、座に高いクッション性・フィット性を保持せしめることができるのである。
【発明を実施するための最良の形態】
【００２３】
次に、本願発明の実施形態を図面に基づいて説明する。本実施形態は、児童・生徒が学習机とセットで使用する椅子に適用しているが、勿論、事務用椅子のような成人用の椅子にも使用できる。
【００２４】
(1).椅子の概要
まず、図１〜図５に基づいて椅子の概要を説明する。図１は椅子を前方から見た斜視図、図２のうち（Ａ）は正面図で（Ｂ）は側面図、図３は縦断側面図、図４は座を中心にした分離斜視図で、図５は傾動フレーム及び背フレームの斜視図である。
【００２５】
椅子は、主要要素として、キャスター付きの脚１と、脚１の上端に固定したベース２と、ベース２の上方に配置された座３と、座３の後方及び上方に配置された背もたれ４と、オプション品としての肘掛け装置５とを備えている（図２（Ｂ）では肘掛け装置５は表示していない。）。脚１は伸長自在及び回転自在な脚支柱（ガスシリンダ）６を備えており、脚支柱６の上端にベース２が固定されている。
【００２６】
また、脚１は放射状に延びる５本の枝足７を備えており、隣り合った３本の枝足７に平面視円弧状のステップ板８を固定している。敢えて説明するまでもないが、ステップ板は、児童が机を適正に使用する状態で床に足が届かないときに足を載せるためのものである。ベース２の外側には、ロッキング用ばねの弾性を調節するためのハンドル９、座３を高さ調節するに際して脚支柱６のロックを解除する昇降レバー１０、座３の前後位置を調節するに際してロックを解除する前後レバー１１が露出している。
【００２７】
図３及び図４に示すように、座３は、樹脂製の座インナーシェル（座板）１２とその上面に張った座クッション材１３とを備えており、座クッション材１３はクロス（表皮材）で覆われている。座クッション材１３は発泡ポリウレタン等の発泡樹脂であり、等厚にシート状に製造されたものを切断にして使用している。従って、素材の状態ではその全面積にわたって等しい厚さである。座インナーシェル１２に張った状態でも基本的には全体にわたって等厚であるが、クロスによる押圧力の違いによって多少の厚さの違いは生じている。
【００２８】
座インナーシェル１２には、下向きに沈むように変形してクッション性・フィット性を高めるために多数のスリット１４を形成している。スリット１４は主として座インナーシェル１２の後半部に形成しており、このスリット１４の群が形成されている部分が変形許容部１２′になっている。
【００２９】
座インナーシェル１２の下方には樹脂製の座アウターシェル１５が配置されており、座インナーシェル１２の左右側部は座アウターシェル１５の左右側部にビス１６で固定されている。座アウターシェル１５は座インナーシェル１２を支持する強度メンバーとして機能するもので、その下方に配置した金属製の中間金具１７に前後位置調節可能に支持されている（詳細は後述する。）。
【００３０】
背もたれ４は、図５に示す正面視四角形の金属製背フレーム１８を備えており、背フレーム１８の前面に背インナーシェル１９（図１参照）が取付けられており、また、背インナーシェル１９の前面に背クッション２０が張られている。背クッション２０と背インナーシェル１９とは袋状のクロス２１ですっぽり覆われている。背フレーム１８は、当該背フレーム１８と相似形（四角形）の裏カバー２２（図２（Ｂ）参照）で裏側から覆われている。
【００３１】
背フレーム１６の下端部には、ベース２の左右外側において略前後方向に延びる左右の傾動フレーム２３の後端が溶接によって固着されている。傾動フレーム２３はベース２に後傾動自在に連結されており、また、肘掛け装置５は傾動フレーム２１に固定されている。本実施形態では背もたれフレーム１８と傾動フレーム２３とは溶接によって一体化しているが、ねじ止め等のように分離可能な状態であってもよい。また、傾動フレーム２３に背支柱を一体に形成してこれに背もたれを取り付けることも可能である。
【００３２】
(2).部材の詳細・ロッキング機構・シンクロ機構
背もたれ４は後傾動し（ロッキングし）、また、座３は背もたれ４の後傾動に連動して（シンクロして）後退しつつ後傾する。次に、このロッキング機構と座シンクロ機構及びその周辺の部材の詳細を、従前の図に加えて図６〜図１０も参照して説明する。
【００３３】
図６うち（Ａ）はベース２を中心にした支持機構部を上方から見た斜視図、（Ｂ）は支持機構部を下方から見た斜視図、図７は主として中間金具１５とベース２との関係を示す分離斜視図、図８のうち（Ａ）は座アウターシェル１５を裏返して後ろから見た斜視図、（Ｂ）は中間金具１５を分離して表示した（Ａ）のＢ−Ｂ視断面図、（Ｃ）は中間カバーの斜視図、図９は主としてベース２と背フレーム１８との関係を示す分離斜視図、図１０は図３の X-X視断面図である。
【００３４】
本実施形態では、中間金具１７の前部が第１軸２５にてベース２の前部に後傾自在及び後退自在に連結され、傾動フレーム２１がベース２の後部に第２軸２６によって後傾可能に連結され、更に、中間金具１７の後部が傾動フレーム２１の前後中途部に第３軸２７で回動可能に連結されており、これらの一種のリンク機構によって背もたれ４がロッキング（後傾）すると共に、座３が背もたれ４の後傾動に連動して後退しつつ後傾するようになっており、かつ、背もたれ４のロッキングと座３のシンクロとが主としてロッキング用ばね２８で弾性的に支持されている。以下、説明する。
【００３５】
例えば図７や図９に明示するように、ベース２は左右側板２ａを備えた上向き開口の箱状に形成されており、その後部に、脚支柱６が嵌着するインナーブラケット２９を固着している。
【００３６】
中間金具１７は前後長手で平行に延びる左右のサイドフレーム３１′，３２″を備えており、左右のサイドフレーム３１′，３１″の前部には丸パイプ製の第１軸２５が溶接にて固着され、後部には丸パイプ製の第３軸２７が溶接にて固着されている。サイドフレーム３１′，３１″は上フランジ３１ａを有する断面逆Ｌ形であり、以下の手段により、上フランジ３１ａに座アウターシェル１５がスライド可能に嵌まっている。
【００３７】
まず、サイドフレーム３１′，３１″について述べると、左右のサイドフレーム３１′，３１″におけるフランジ３１ａの前後中途部には、前後方向に延びる抉り部３２が形成されている。他方、図８（Ａ）（Ｂ）に示すように、座アウターシェル１５の下面には、サイドフレーム３１′，３１″の内側面に位置する左右の内ガイドリブ３３と、サイドフレーム３１′，３１″の上フランジ３１ａを抱持する鉤形の左右の外ガイド片３４，３５の群とが形成されている。外ガイド片３４，３５は、射出成形におけるいわゆる抜き違い法によって形成されており、外ガイド片３４，３５の群により、座アウターシェル１５はサイドフレーム３１に前後動可能に取付けられている。
【００３８】
この場合、手前側に位置した外ガイド片３４の群と奥側に位置した外ガイド片３５の群との間にはある程度の寸法の間隔が空いている。そして、奥側に位置した外ガイド片３５の群の全体の前後長さ寸法Ｌ１はサイドフレーム３１′，３１″における抉れ部３２の前後長さ寸法Ｌ２よりもやや小さく、また、前後の外ガイド片３４，３５の間の間隔寸法Ｌ３は、サイドフレーム３１′、３１″における上フランジ３１ａのうち抉り部３２よりも手前の部分の長さ寸法Ｌ４よりも大きい。
【００３９】
上記Ｌ１〜Ｌ４の寸法関係により、座アウターシェル１５における奥側の外ガイド片３５の群をサイドフレーム３１における抉り部３２に上方より嵌め込んでから、座アウターシェル１５の全体を奥側にスライドさせると、いう手順によって座アウターシェル１５をサイドフレーム３１′、３１″に取り付けることができる。なお、サイドフレーム３１′，３１″の上フランジ３１ａを中間金具１７のガイドレールと呼び、座アウターシェル１５のうち外ガイド片３４，３５の部分をガイド溝と呼ぶことも可能である。
【００４０】
図７に示すように、左サイドフレーム３１′における上フランジ３１ａに前後位置調節用の係合溝３６が複数個切欠き形成されている一方、座アウターシェル１５には、前記係合溝３６に係脱する爪部を有する前後レバー１１が取付けられている。前後レバー１１が係合溝３６に嵌まることにより、座アウターシェル１５はサイドフレーム３１′，３１″に対して抜け不能に保持されている。
【００４１】
図７に示すように、左サイドフレーム３１′における上フランジ３１ａのうち係合溝３６の群の手前の部分には補助切欠き３７が形成されており、前後レバー１１の一部が補助切欠き３７の箇所に位置している。換言すると、前後レバー１１との緩衝を回避するために、左サイドフレーム３１′に補助切欠き３７を形成している。
【００４２】
例えば図７から理解できるように、ベース２における左右側板２ａの前部には、第１軸２５を軸支するための前向き開口溝３９が形成されている。そして、第１軸２５には、ベース２の前向き開口溝３９に入り込む左右のフロントブッシュ４０と、左右フロントブッシュ４０の間に挟まれた前部ばね受け４１とが被嵌している。左右フロントブッシュ４０はベース２にねじで固定されている。
【００４３】
第１軸２５の左右中間部には横ずれ防止用のストッパー材４２が固定されている。左右フロントブッシュ４０は合成樹脂製で側面視Ｕ字状に形成されており、その空所に第１軸２５が前後摺動自在に嵌まっている。前部ばね受け４１は、第１軸２５が嵌まるように後向き開口の側面視Ｕ字状に形成されている。
【００４４】
ベース２の内部には、インナーブラケット２９の前壁面で左右スライド可能に支持されたばね受けスライダー４３が配置されており、ばね受けスライダー４３には後部ばね受け４４が嵌まっている。前後のばね受け４１，４４でロッキング用ばね２８が挟まれている。ハンドル９を回転操作するとばね受けスライダー４３が左右移動し、すると、くさび作用により、後部ばね受け４４は前後移動する。これによってロッキング用ばね２８の初期弾性力が変化する。
【００４５】
傾動フレーム２１は断面小判形の金属パイプ（鋼管）を使用しており、既述のとおり、ベース２の左右外側に配置されている。そして、左右傾動フレーム２１の前端部には丸パイプ製の第２軸２６が固着されている。図９から容易に理解できるように、第１軸２５は、上センターブッシュ４５と下センターブッシュ４６とで上下から挟まれており、かつ、上下センターブッシュ４５，４６はセンター金具４７を介してベース２の下面に固定されている。上センターブッシュ４５はベース２に対して左右動不能に嵌まっている。
【００４６】
図３（Ｂ）に示すように、第３軸２７は、左右傾動フレーム２１に架け渡すように配置された金属板製ブリッジ部材４８に、二つ割り式の合成樹脂製リアブッシュ４９及び押さえ用のリア金具５０にて連結されている。ブリッジ部材４８は背フレーム１８に溶接で固着されている。
【００４７】
ベース２の後端と背フレーム１８の下端との間には、背もたれ４を任意の後傾角度に保持できる背用ガスシリンダ５１を配置している（ガスシリンダ５１はロッキング及び座３のシンクロの弾性的な支持機能も備えている。）。背用ガスシリンダ５１はベース２と背フレーム１８とに相対回動可能に連結されている。このため、例えば図５に示すように、背フレーム１６の下部の左右中間部には連結用突起部５２が突設されており、また、左側の傾動フレーム２１の後部にはブラケット５３が固着されており、このブラケット５３には、背用ガスシリンダ５１をロック状態とフリー状態とに切り替えるレバー（図示せず）が取付けられている。
【００４８】
既述のとおり、着座した人が背もたれ４に凭れかかると、背もたれ４はロッキング用ばね２８及び背用ガスシリンダ５１の弾性に抗して第２軸２６を中心に後傾動し、他方、座３は第３軸２７による引っ張り作用と第１軸２５のスライドとにより、後傾しつつ後退動する。言うまでもないが、座３の後傾の度合いは背もたれ４の後傾の度合いよりも遥かに小さい。また、背もたれ４及び座３の後傾角度は、ブリッジ部材４８がベース２の後部のストッパー材２ｃに当たることで規制される。ストッパー材２ｃは硬質ゴムような軟質材からなっている。
【００４９】
図３（Ａ）に明示するように、ベース２はその前部が高くなるように側面視で傾斜姿勢になっている。他方、図３（Ａ）や図４，図８（Ａ）に示すように、座アウターシェル１５は基本的には上向きに開口した浅い皿状になっており、その左右両側部に座インナーシェル１２を固定することにより、座インナーシェル１２が人の体圧で下向きに伸び変形すること（ベンディングすること）が許容されている。
【００５０】
この場合、座インナーシェル１２は着座者の臀部が当たる変形許容部１２′が主として沈み込み変形すれば良く、座インナーシェル１２の前半部は殆ど沈み変形する必要はない（座インナーシェル１２の前半部にはあまり体圧はかからないため、沈み込み変形しなくても大腿部に対する突っ張り感はない。）。
【００５１】
そこで、図３（Ａ）及び図４から容易に理解できるように、座アウターシェル１５の前半部でかつ左右中間部には、ベース２よりも広巾で座インナーシェル１２に向けて突出した上向き凹部１５ａが形成されており、この上向き凹部１５ａの存在により、ベース２の前部と座アウターシェル１５との間隔をできるだけ小さくしている。このため、座３の最低高さをできるだけ低くできると共に、椅子が全体的にコンパクト化されている。
【００５２】
図２や図３（Ａ）に示すように、ベース２はそのほぼ全体がベースカバー５４で覆われている。ベースカバー５４は上下のパーツに区分されていてベース２に装着されており、第１軸２５や第２軸２６やレバー類９，１０とは干渉しないように配慮されている。
【００５３】
図２，図６，図７，図１０等に示すように、中間金具１７のサイドフレーム３１には外側から中間カバー５５，５６が装着されている。図１０に示すように、中間カバー５５，５６は、外側板と周壁５７とを有することによって容器状の形態を成しており、内部には、第１軸２５と第３軸２７に弾性的に嵌入する前後のボス体５８，５９が設けられている。
【００５４】
また、図７，図８（Ｃ），図１０等に示すように、中間カバー５５，５６の内部には、サイドフレーム３１′，３１″の鉛直部に重なるリブ６０を設けている。更に、右中間カバー５５の上面は全長にわたってフラットになっているが、左中間カバー５６の上面のうちその前寄り部位には、前後レバー１１との干渉を回避するための２段階状の段部６１が形成されている。
【００５５】
(3).座インナーシェルと座アウターシェルと中間金具との関係
図１１では、本願発明との関係で座インナーシェル１２と座アウターシェル１５と中間金具１７の姿勢を明瞭に示している（図１１は説明の便宜を優先して一部を模式化又は簡略化しており、従って、製図法に正確に準拠している訳ではない。）。
【００５６】
既述のとおり、座インナーシェル１２の略後半部はスリット１４の群の存在によって伸び変形可能な変形許容部１２′になっている。他方、座アウターシェル１５のうち座インナーシェル１２の変形許容部１２′に対応した部分（すなわち上向き凹部１２ａの後方の部分）は上向き凹状に凹んだ凹状支持部１５′になっており、座アウターシェル１５の凹状支持部１５′と座インナーシェル１２の変形許容部１２′との間におおきな空間が空いている。
【００５７】
そして、図１０と図１１とから理解できるように、座インナーシェル１２の変形許容部１２′は平板に近い形態であって、左右中間部は縦断側面視で直線状の形態になっている。他方、座アウターシェル１５の凹状支持部１５′は平板状の底部が広がっており、このため、左右中間部は縦断側面視で直線状の形態になっている。そして、座インナーシェル１２の変形許容部１２′は樹段側面視で水平面Ｈに対して若干の角度（２〜４度）だけ後傾している。
【００５８】
座クッション材１３は全体にわたって等厚なので、座面も縦断側面視（或いは側面視）で水平に対して若干の角度θ（２〜４度）だけ後傾している。このように座面が後傾していることにより、人は非ロッキング状態で疲れのない自然な姿勢を採ることができる。
【００５９】
座インナーシェル１２の変形許容部１２′と座アウターシェル１５の凹状支持部１５′とは縦断側面視で平行に延びており、従って、座アウターシェル１５の凹状支持部１５′も水平に対して若干の角度θだけ後傾しており、かつ、中間金具１７を構成するサイドフレーム３１′，３１″の上フランジ３１ａは座アウターシェル１５の底面と平行に延びているので、中間金具１７の上面（上フランジ３１ａ）も水平に対して若干の角度θだけ後傾している。
【００６０】
既述のとおり、ロッキング角度の規制は傾動フレーム２３のブリッジ部材４８がベース２のストッパー材２ｃに当たることで行われる。図１１に示すよう、ブリッジ部材４８にはゴム製等の当たり材４８ａを設けており、当たり材４８ａがストッパー材２ｃに当たることで最大ロッキング角度θ２が規制される。本実施形態ではθ２は約１５°に設定しているが、例えば１０〜１５°の範囲でもよい。
【００６１】
そして、中間金具１７が非ロッキング状態で水平Ｈに対して後傾していることで最大ロッキング角度θ２は特許文献１の場合よりも小さくなるが、既述のとおり、家庭用（特に児童・生徒用）や女性用の椅子の場合は大きなロッキング角度に対する要請は低いので、中間金具１７を非ロッキング状態で後傾させことによる不都合は生じない。そして、中間金具１７を非ロッキング状態で後傾させたことで、座インナーシェル１２の変形許容部１２′と座アウターシェル１５の凹状支持部１５′との間隔を大きく採ることができるため、高いクッション性・フィット性を得ることができるのである。
【００６２】
本実施形態では座インナーシェル１２の変形許容部１２′と座アウターシェル１５の凹状支持部１５′とは縦断側面視で平行の姿勢にしているが、両者の上下間隔を例えば１〜２度程度の広がり角度で後方に行くに従って間隔が広がるように設定することも可能である。
【００６３】
(4).その他
本願発明は上記の実施形態の他にも様々に具体化できる。例えば、中間金具は上板の左右両側に下向きの側板が形成された下向き開口コ字状の形態にすることも可能である。また、本願発明は特許文献１のように中間金具の左右両側部で座を支持しているものにも適用できる。更に、本願発明において座は中間金具に前後位置調節不能に固定されていても良い。
【００６４】
また、中間金具は「金具」の名称が付されているが素材は金属製である必要はなく、樹脂製であっても良い。ベースがベースカバーを備えていない場合も有り得るが、この場合は、中間カバーをベースの側面に近接させたら良い。
【図面の簡単な説明】
【００６５】
【図１】実施形態に係る椅子を前方から見た斜視図である。
【図２】（Ａ）は正面図で（Ｂ）は側面図である。
【図３】縦断側面図である。
【図４】座を中心にした分離斜視図である。
【図５】傾動フレーム及び背フレームの斜視図である。
【図６】（Ａ）はベース２を中心にした機構部を上方から見た斜視図、（Ｂ）は機構部を下方から見た斜視図である。
【図７】主として中間金具とベースとの関係を示す分離斜視図である。
【図８】（Ａ）は座アウターシェルを裏返して後ろから見た斜視図、（Ｂ）は中間金具を分離して表示した（Ａ）のＢ−Ｂ視断面図、（Ｃ）は中間カバーの斜視図である。
【図９】主としてベースと背フレームとの関係を示す分離斜視図である。
【図１０】ベースカバーと中間カバーとの位置関係を示す側面図である。
【図１１】図３の XI-XI視断面図である。
【符号の説明】
【００６６】
１  脚装置
２  ベース
３  座
４  背もたれ
１２  座インナーシェル
１２′  座インナーシェルの変形許容部
１３  座クッション
１５  座アウターシェル
１５′  座アウターシェルの凹状支持部
１７  中間金具
２３  傾動フレーム
２５，２６，２７  軸
３１′，３１″  中間金具を構成するサイドフレーム
３１ａ  サイドフレームの上フランジ部
２８  ロッキング用ばね
３４，３５  座アウターシェルの外ガイド片
【図１】
2008302084.tif 000003
【図２】
2008302084.tif 000004
【図３】
2008302084.tif 000005
【図４】
2008302084.tif 000006
【図５】
2008302084.tif 000007
【図６】
2008302084.tif 000008
【図７】
2008302084.tif 000009
【図８】
2008302084.tif 000010
【図９】
2008302084.tif 000011
【図１０】
2008302084.tif 000012
【図１１】
2008302084.tif 000013